(57)【要約】【解決手段】  パッケージ（1）は、製品を受け入れる開口部を有するキャビティ（41）を形成する容器部（3）と、キャビティへの開口部を閉鎖する第１の閉鎖位置から、キャビティへの開口部を開放する開放位置まで移動可能な閉鎖部（5）と、第１の閉鎖位置で閉鎖部によって覆われる住所（27）を有する外面（7）とを有する。閉鎖部は、第１の閉鎖位置で第１の形態を有し、第１の形態から、キャビティへの開口部を閉鎖するが住所を覆わないようにする第２の閉鎖位置をとることができる第２の形態まで移動するようになっている。
2006505465.tif 000002
【特許請求の範囲】
【請求項１】
製品を受け入れる開口部を有するキャビティ（41）を形成する容器部（3）と、キャビティへの開口部を閉鎖する閉鎖位置から、キャビティへの開口部を開放する開放位置まで移動可能な閉鎖部（5）と、閉鎖位置で閉鎖部によって覆われる住所を有する外面（7）とを有し、閉鎖位置は第１の閉鎖位置であり、閉鎖部は、第１の閉鎖位置で第１の形態を有し、第１の形態から、キャビティへの開口部を閉鎖するが住所を覆わないようにする第２の閉鎖位置をとることができる第２の形態まで移動するようになっているパッケージ。
【請求項２】
閉鎖部は、使用時に、順次、その第１の形態において第１の閉鎖位置から開放位置まで移動し、その第２の形態において開放位置から第２の閉鎖位置まで移動するようになっている、請求項１に記載のパッケージ。
【請求項３】
閉鎖部は、第１の閉鎖位置で住所を覆い、第２の閉鎖位置で住所を覆わないカバー部（19）を有する、請求項１または２に記載のパッケージ。
【請求項４】
閉鎖部のカバー部は、閉鎖部から取り外されるようになっている取り外し可能なカバー部であり、取り外し可能なカバー部を取り外すと、閉鎖部が第１の形態から第２の形態に移動する、請求項３に記載のパッケージ。
【請求項５】
閉鎖部は、第１および第２の閉鎖位置で、容器部に固定されキャビティへの開口部を閉鎖する固定部（29）を有する、請求項４に記載のパッケージ。
【請求項６】
固定部は、開放位置で容器部に固定される、請求項５に記載のパッケージ。
【請求項７】
第１の閉鎖位置で、カバー部は固定部の延長部を形成する、請求項５または６に記載のパッケージ。
【請求項８】
カバー部は固定部を覆う、請求項５、６、または７に記載のパッケージ。
【請求項９】
容器部は、第１の側面（17）がキャビティへの開口部を有し、第２の側面（7）が、住所を含む外面を有する複数の側面を有し、第１および第２の閉鎖位置で、固定部が第１の側面を覆って開口部を閉鎖し、第１の閉鎖位置で、カバー部が固定部から垂れ下がり第２の側面上の住所を覆う、請求項５から８のいずれか一項に記載のパッケージ。
【請求項１０】
閉鎖部のカバー部は、第１の閉鎖部で容器部の外面に取り外し可能に取り付けられる、請求項３から９のいずれか一項に記載のパッケージ。
【請求項１１】
閉鎖部のカバー部は、第１の閉鎖位置で容器部の外面に引き裂き可能に連結される、請求項１０に記載のパッケージ。
【請求項１２】
引き裂き可能な連結部は穴あき連結部（21）である、請求項１１に記載のパッケージ。
【請求項１３】
閉鎖部と容器部は一体に形成される、請求項１から１２のいずれか一項に記載のパッケージ。
【請求項１４】
閉鎖部は容器部にヒンジ留めされる、請求項１から１３のいずれか一項に記載のパッケージ。
【請求項１５】
硬質または半硬質である、請求項１から１４のいずれか一項に記載のパッケージ。
【請求項１６】
箱状構造の形をした、請求項１から１５のいずれか一項に記載のパッケージ。
【請求項１７】
板材料、たとえば合板紙や厚紙で作られた、請求項１から１６のいずれか一項に記載のパッケージ。
【請求項１８】
シート材料、任意に１枚のシート材料で形成された、請求項１から１７のいずれか一項に記載のパッケージ。
【請求項１９】
カバー部は第１のシート材料で形成され、パッケージの残りの部分は第２のシート材料で形成される、請求項３から１２に追加されるときの、請求項１８に記載のパッケージ。
【請求項２０】
住所は容器部の外面上に位置する、請求項１から１９のいずれか一項に記載のパッケージ。
【請求項２１】
住所はパッケージの外面に取り付けられたラベル上に位置する、請求項１から２０のいずれか一項に記載のパッケージ。
【請求項２２】
閉鎖部は、開放位置から第１の閉鎖位置に戻ることができないようになっている、請求項１から２１のいずれか一項に記載のパッケージ。
【請求項２３】
閉鎖部は、第１の閉鎖位置で、復元不能な連結部（21）を通して容器部に固定的に連結される、請求項１から２１のいずれか一項に記載のパッケージ。
【請求項２４】
閉鎖部は、復元不能な連結部を切り離さないかぎり第１の閉鎖位置から開放位置まで移動することができない、請求項２３に記載のパッケージ。
【請求項２５】
閉鎖部は、閉鎖部が開放位置にあるときにしか見えない注意書きを備える、請求項１から２４のいずれか一項に記載のパッケージ。
【請求項２６】
注意書きは閉鎖部の固定部上に設けられる、請求項５に追加されるときの、請求項２５に記載のパッケージ。
【請求項２７】
閉鎖部の固定部は、閉鎖部が容器部に対してそのそれぞれの位置の間を移動できる継手（35）の所で容器部に固定される、請求項５に記載のパッケージ。
【請求項２８】
閉鎖部は、切り離されるまで、閉鎖部が継手の周りを移動するのを妨げる復元不能な連結部（21）を通して、第１の閉鎖位置で容器部に固定的に連結される、請求項２７に記載のパッケージ。
【請求項２９】
請求項１から２８のいずれか一項に記載のパッケージを形成するような寸法および構成を有するシート板材。
【請求項３０】
実質的に添付の各図を参照して説明がなされ、かつ添付の各図によって示されるパッケージ。
【発明の詳細な説明】
【技術分野】
【０００１】
本発明は、商品を送るためのパッケージに関し、特に、人と人との間で商品を交換し、たとえば、使用済みの部品または補充品を、交換品を受け入れるのと同じパッケージで返送するための返送可能なパッケージに関するがこれに限らない。
【背景技術】
【０００２】
補充可能な装置用の補充品の供給業者が、使用済みの補充品を返送先住所、たとえば供給業者に、交換品を送るためのパッケージで返送するよう被供給側に求めることが知られている。しかし、この要求に対して高度のコンプライアンス（遵守規則）を実行するのは困難であることが分かっている。この１つの理由は、通常供給業者が、ユーザに送られるパッケージの内側に返送先住所のラベルを入れ、ユーザが、使用済みの補充品を含む返送用のパッケージの外面にそのラベルを貼り付ける必要があるからである。
【０００３】
使用済みまたは余分の製品を返送させるうえで高度のコンプライアンスを実現する必要があるが、欧州連合で廃電気・電子機器に関する指令（Waste Electrical and Electronic Equipment (WEEE) Directive）が実施されると、電気的または電子的特徴を有する製品についてはこれがさらに困難になる。これは、WEEE Directiveでは、このような商品の製造業者は商品の再利用または処分に責任を負うからである。
【発明の開示】
【発明が解決しようとする課題】
【０００４】
したがって、本発明の目的は、製品を入れて所定の住所に返送するのを容易にするパッケージを提供することである。
【課題を解決するための手段】
【０００５】
本発明によれば、製品を受け入れる開口部を有するキャビティを形成する容器部と、キャビティへの開口部を閉鎖する第１の閉鎖位置から、キャビティへの開口部を開放する開放位置まで移動可能な閉鎖部と、第１の閉鎖位置で閉鎖部によって覆われる住所を有する外面とを有し、閉鎖部が、第１の閉鎖位置で第１の形態(configuration)を有し、第１の形態から、キャビティへの開口部を閉鎖するが住所を覆わないようにする第２の閉鎖位置をとることができる第２の形態まで移動するようになっているパッケージが提供される。
【０００６】
本発明は、本発明によるパッケージを形成するような寸法および構成を有するシート素材をさらに提供する。
【０００７】
本発明の好ましい特徴は、添付の従属請求項に記載されている。
【０００８】
一例として、本発明の非制限的な実施形態について、添付の各図を参照して説明する。
【発明を実施するための最良の形態】
【０００９】
各図は、容器部３および蓋または閉鎖部５を含む、本発明による中空の箱状カートンまたはパッケージ１を示している。
【００１０】
パッケージ１は、段ボールなどの折り畳み可能な板紙材料で作られており、適切な形状およびサイズを有する板紙素材から各図に示されている直線構成に形成され、板紙素材の一例は、板紙がパッケージ１を形成するように折り畳まれる折り畳み線を鎖線で示す図６に示されている。
【００１１】
パッケージ１は、前面パネル７と、両側面パネル９、１１と、背面パネル１３と、底面パネル１５とを有している。パッケージ１のこれらのパネルは、容器部３を形成する。さらに、パッケージ１は、頂面パネル１７と、頂面パネル１７にヒンジ留めされ、前面パネル７を覆う前面フラップ１９とを有している。頂面パネル１７と前面フラップ１９は、パッケージ１の閉鎖部５を形成する。
【００１２】
たとえば図１に示されているように、閉鎖部５の前面フラップ１９は、穴あき連結部２１を通して容器部３の前面パネル７に連結されている。しかし、他の種類の引き裂き可能または取り外し可能な連結部を使用してよい。図１にさらに示されているように、前面フラップ１９は、その下端部にタブ２３を備えており、前面パネル７は、フラップ２３に隣接してくぼみ２５を備え、ユーザの親指でタブ２３を持ち上げ前面フラップ１９を上向きに引っ張って前面フラップ１９を前面パネル７から取り外すかまたは引き裂くのを可能にする。これは、図２に概略的に示されている。
【００１３】
次に図３を参照すると、これは、前面フラップ１９が前面パネル７から引き裂かれた開放状態のパッケージ１を示している。まず、前面フラップ１９を前面パネル７から引き裂く際、前面パネル７上の返送先住所２７が露出されることが分かる。さらに、閉鎖部５は、別々の内側部分２９および外側部分３１を有することが分かる。閉鎖部５の外側部分３１は、頂面パネル１７の外側部分３０と、折り畳み線３３の所で外側部分３０に蝶番式に移動可能に連結された前面フラップ１９とを含んでいる。一方、内側部分２９は、頂面パネル１７の内側部分３２と、折り畳み線３６の所で内側部分３２にヒンジによって連結されたフラップまたは舌部３４とを含んでいる。外側部分３１は、後縁部３５の所に内側部分２９との引き裂き可能または取り外し可能な連結部を有している。外側部分３０および内側部分３２は、互いに向かい合う表面の所で取り外し可能に接着してもよい。
【００１４】
好都合なことに、内側部分３２の内面には、パッケージ１の使用法に関する注意書きが記載されている。理解されるように、この注意書きはパッケージ１を開放した後に見えるようになる。このような注意書きは図表であってもよい。
【００１５】
次に図４を参照すると、前面フラップ１９が前面パネル７から取り外された後、外側部分３１と内側部分２９との間の引き裂き可能な連結部を引き裂き可能な連結部３５の所で切り裂くことによって、閉鎖部５の外側部分３１がパッケージ１から取り外される。
【００１６】
容器部３と閉鎖部５との間に形成された中空のコンパートメント４１に入れられた交換品（不図示）が取り出され、使用済みのまたは古い製品（不図示）と交換された後、パッケージ１は、図５に示されているように閉鎖部５の内側部分２９によって再閉鎖される。具体的には、閉鎖部５の内側部分２９は、そのフラップ３４を、側面パネル９、１１から延びる側面フラップ４５、４７と前面パネル７の内面との間の所定の位置に保持されるようにコンパートメント４１に押し込むことによって閉鎖される。これは、閉鎖部５が外側部分３１を含め閉鎖位置にあるときに内側部分２９がとる形態と同じ形態である（図１）。
【００１７】
たとえば、粘着テープによって適切に密閉した後、使用済み製品を適切に再生し、かつ／または廃棄処分するためにパッケージ１を返送先住所に郵送することができる。なお、使用済みの製品または古い製品のパッケージ１での返送におけるユーザのコンプライアンスを推進するために郵便料金納付済みの表示または郵便切手４３を備えることができる。
【００１８】
パッケージ１が、返送先住所２７へのパッケージ1の郵送を推進する利点を有するだけでなく、前面フラップ１９を引き裂き可能な連結部２１によって容器部３に取り付けることによって、パッケージ１を開放するのに連結部２１を切り裂く必要があるが切り裂いた後元に戻すことができなくなるため、パッケージ１に有利ないたずら防止機能が備えられる。
【００１９】
本発明が、各図を参照して説明したパッケージ１に限らず、添付の特許請求の範囲内のすべての変形形態、修正形態、およびその他の形態を包含することが理解されよう。
【００２０】
一例として、パッケージ１の閉鎖部５の外側部分３０がパッケージ１の「返送モード」に保持されるように、パッケージ１の閉鎖部５の外側部分３０および内側部分３２を貼り合わせ、前面フラップ１９を相互折り畳み線３３の所で外側部分３０に引き裂き可能に連結することができる。
【００２１】
あるいは、頂部パネル１７の外側部分３０を設けず、前面フラップ１９が折り畳み線３６の所で閉鎖部５の内側部分２９に引き裂き可能に連結される。使用時には、前面フラップ１９が容器部３および内側部分２９から引き裂かれ、次いで内側部分２９が開放される。
【００２２】
他の変形形態では、前面フラップ１９が、折り畳み線３３から下向きに延びる上部と、上部に引き裂き可能に連結されタブ２３を含む下部として形成される。パッケージ１を開放するときは、前面フラップ１９の下部を上部から取り外して上部を残し、パッケージを返送先住所に送るときにパッケージ１に押し込まれるフラップ３４を有する二層フラップを形成する。
【００２３】
他の変形形態では、外側部分３０を設けず、前面フラップ１９が、たとえば穴あき連結部を通るフラップ３４の取り外し可能な延長部を形成する。初期閉鎖位置では、フラップ３４は、前面フラップ１９と一緒に前面パネル７の外面上に位置する。使用時には、前面フラップ１９が前面パネル７およびフラップ３４から引き裂かれ、内側部分２９のみが残る。次いで、フラップ３４がパッケージ１に押し込まれ、パッケージ１が返送先住所２７に送られるときにパッケージ１が閉鎖される。
【００２４】
図６には、２枚の材料シートで形成されたパッケージ１用の板材が示されている。しかし、本発明によるパッケージは、１枚のシートまたは２枚よりも多くのシートで形成することができる。
【００２５】
さらに、「前部」、「背部」のような相対的な向きを表す語が使用されているが、制限的な意味で用いられているのではなく、説明を簡単にするために用いられていることが理解されよう。
【００２６】
最後に、添付の特許請求の範囲における特定の説明で参照符号が使用されているが、特許請求の範囲に対して制限的な効果を有するとみなされるものではなく、純粋に例示のためのものである。
【図面の簡単な説明】
【００２７】
【図１】容器部および閉鎖位置の閉鎖部を有する本発明による郵送可能なパッケージの斜視正面図である。
【図２】開放位置に移動されるプロセスにおける閉鎖部を示すパッケージの斜視正面図である。
【図３】容器部の前面パネル上の返送先住所を露出させる開放位置の閉鎖部を示すパッケージの他の斜視正面図である。
【図４】閉鎖部の外側部分が閉鎖部の内側部分から取り外されたパッケージの他の斜視正面図である。
【図５】閉鎖部の内側部分が容器部を閉鎖している返送状態のパッケージの斜視正面図である。
【図６】パッケージが形成されるシート素材の平面図である。
【図１】
2006505465.tif 000003
【図２】
2006505465.tif 000004
【図３】
2006505465.tif 000005
【図４】
2006505465.tif 000006
【図５】
2006505465.tif 000007
【図６】
2006505465.tif 000008
【国際調査報告】
2006505465.tif 000009
2006505465.tif 000010
2006505465.tif 000011
2006505465.tif 000012
2006505465.tif 000013
2006505465.tif 000014
2006505465.tif 000015